(57)【要約】【課題】  扱室ケースの上方回動に連携し排藁搬送部を上方回動するとき、その終端部側を上昇させながら排藁搬送部の下方を開放することができる脱穀機の排藁搬送装置を提供する。【解決手段】  扱胴を回転可能に内装した扱室ケース７を支点軸９を支点とし、扱室ケース７の後方に斜設された排藁搬送部５を融通支持構造１６を支持部とし、両者を共に上方回動可能に設けた脱穀機１で、前記扱室ケース７と共に排藁搬送部５の搬送始端部側が上昇するとき、搬送終端部側の下降を防止しながら奥側への移動を融通して支持する融通支持構造１６を設け、該融通支持構造１６を、前記融通支持構造１６を排藁搬送部５に突設したスライド支持杆３０と、該スライド支持杆３０を下部ケース６側から支持した状態で排藁搬送部５の上方回動に伴い上昇移動させる傾斜支持部３９を有した融通支持ガイド３５とで構成した。【選択図】        図６
2005130797.tif 000002
【特許請求の範囲】
【請求項１】
扱胴を回転可能に内装した扱室ケース（７）を、下部ケース（６）に奥側の支点軸（９）を介して上方回動可能に設け、扱室ケース（７）の後方に斜設され脱穀済の排藁を後方穂側に向けて搬送する排藁搬送部（５）を、前記支点軸（９）より奥側位置まで延設すると共に、その搬送始端部側を前記扱室ケース（７）側に回動可能に取り付け、扱室ケース（７）が上方回動するときに排藁搬送部（５）の搬送始端部側を共に上昇せしめる脱穀機（１）において、前記扱室ケース（７）と共に排藁搬送部（５）の搬送始端部側が上昇するとき、搬送終端部側の下降を防止しながら奥側への移動を融通して支持する融通支持構造（１６）を設け、該融通支持構造（１６）を、前記排藁搬送部（５）に取り付けたスライド支持杆（３０）と、下部ケース（６）側に設けられてスライド支持杆（３０）を奥側へ移動可能に下方から支持する融通支持ガイド（３５）で構成すると共に、該融通支持ガイド（３５）に傾斜支持部（３９）を設け、スライド支持杆（３０）が奥側へ移動するに伴い傾斜支持部（３９）に沿って上昇移動するように構成した脱穀機の排藁搬送装置。
【請求項２】
融通支持ガイド（３５）の傾斜支持部（３９）に連ならせ、排藁搬送方向の上手側でスライド支持杆（３０）を略水平方向に移動案内する水平支持部（３６）を形成した請求項１記載の脱穀機の排藁搬送装置。
【発明の詳細な説明】
【技術分野】
【０００１】
本発明はコンバイン及びハーベスタ等に搭載される脱穀機の排藁搬送装置に関する。
【背景技術】
【０００２】
従来、コンバイン等に搭載される脱穀機は、例えば特許文献１で示されるように、扱胴を内装した扱室ケースを選別装置等を内装した下部ケースの奥側に設けた支点軸に枢支し、該扱室ケースの後方で伝動ケース部によって駆動可能に支持される排藁搬送部の終端部側を融通支持構造によって支持し、扱室ケースと排藁搬送部をそれぞれ点軸と融通支持構造を支点とし株側を上方回動可能に設けた構成とされる。
【０００３】
この排藁搬送部の融通支持構造は、下部ケース側の取付フレームと排藁搬送部の係止杆とを、上下方向の移動を規制する支持リンク及び自在継手とからなる融通支持機構で連結し、排藁搬送部が扱室ケースと共に上動する際に、その終端部が後部天板や排藁カッター等に下降接当することなく、扱室ケースの上方回動に制約を与えたり接当各部の損傷を防ぐ構成となっている。
【０００４】
【特許文献１】特許第３３６９７９２号公報（第３ページ，図１）
【発明の開示】
【発明が解決しようとする課題】
【０００５】
上記特許文献１で示される排藁搬送装置は、扱室ケースの上方回動と共に排藁搬送部が融通支持構造を支点とし上方回動すると、排藁搬送部の下方を終端部側の下降を防止して開放することができ、この部の点検や清掃等のメンテナンス作業を行うことができる利点がある。然し、この排藁搬送部の融通支持構造は支持リンクと自在継手とで構成されるので構造が複雑でコスト高になると共に、排藁搬送路の上方に直接的に位置する融通支持構造に排藁が接触したり、藁屑付着による排藁詰まり等のトラブルを生じ易い欠点がある。  
【０００６】
また上記構成による融通支持構造は、排藁搬送部の中途部に設けると上方回動時に終端部側を下降させるため、この取付位置は概ね排藁搬送部の終端部側に限定されるので、排藁搬送部の奥側下方の開放を十分に行うことができ難い等の問題がある。
【課題を解決するための手段】
【０００７】
上記課題を解決するためにこの脱穀機の排藁搬送装置は、第１に、扱胴を回転可能に内装した扱室ケース７を、下部ケース６に奥側の支点軸９を介して上方回動可能に設け、扱室ケース７の後方に斜設され脱穀済の排藁を後方穂側に向けて搬送する排藁搬送部５を、前記支点軸９より奥側位置まで延設すると共に、その搬送始端部側を前記扱室ケース７側に回動可能に取り付け、扱室ケース７が上方回動するときに排藁搬送部５の搬送始端部側を共に上昇せしめる脱穀機１において、前記扱室ケース７と共に排藁搬送部５の搬送始端部側が上昇するとき、搬送終端部側の下降を防止しながら奥側への移動を融通して支持する融通支持構造１６を設け、該融通支持構造１６を、前記排藁搬送部５に取り付けたスライド支持杆３０と、下部ケース６側に設けられてスライド支持杆３０を奥側へ移動可能に下方から支持する融通支持ガイド３５で構成すると共に、該融通支持ガイド３５に傾斜支持部３９を設け、スライド支持杆３０が奥側へ移動するに伴い傾斜支持部３９に沿って上昇移動するように構成したことを特徴としている。
【０００８】
第２に、融通支持ガイド３５の傾斜支持部３９に連ならせ、排藁搬送方向の上手側でスライド支持杆３０を略水平方向に移動案内する水平支持部３６を形成したことを特徴としている。
【発明の効果】
【０００９】
以上のように本発明によれば、支点軸を支点に上方回動する扱室ケースに連携し、排藁搬送部が融通支持機構を支持部として上方回動するとき、排藁搬送部に取り付けられたスライド支持杆が融通支持ガイドの傾斜支持部に沿って移動案内され、排藁搬送部の後方移動側及び回動等の変位を許容しながら終端部側を上昇させるので、スライド支持杆を排藁搬送部の中途部に設けても終端部側を下降させることなく、排藁搬送部をスムースに開放することができ、この部の点検や清掃等のメンテナンス作業性が向上する。
【００１０】
また傾斜支持部に連なる水平支持部にスライド支持杆を載置することができるから、排藁搬送部の終端部側を安定よく仮支持した状態で、伝動ケース部及び融通支持構造に対する排藁搬送部の組み付け作業を簡単に行うことができる。
【発明を実施するための最良の形態】
【００１１】
本発明の一実施形態を図面に基づいて説明する。図１はコンバイン等の走行機体に搭載される脱穀機１のカバー構造を示す斜視図であり，図２はカバー構造を取り外した斜視図である。この脱穀機１は刈取られた穀稈を図示しないフィードチェンによって穀稈供給口から扱室２内に供給し、脱穀された脱穀物を選別部で選別処理する。また脱穀後の穀稈（排藁）はフィードチェンを介し、扱室２の後方に形成される４番口３の上方で、排藁カッタ（排藁処理装置）４側に斜め方向に延設された排藁搬送部５に引き継ぎ搬送し排藁切断処理される。
【００１２】
以下各部の詳細な構成について説明する。先ず脱穀機１は公知のものと同様の、選別装置を内装する下部ケース６と、扱室２を構成する扱室ケース７とからなる。扱室ケース７の扱室２は上部カバー体８の両側に入口側板８ａと出口側板８ｂを一体的に形成し、両側板間に図示しない扱胴を回転可能に軸支する。
下部ケース６は奥側上部に設けた複数のブラケットに支点軸９を横方向に軸支し、これを排藁搬送部５側まで延長支持している。そして、支点軸９に扱室ケース７の奥側を回動可能に軸支し、これにより扱室ケース７を閉じた図５の実線で示す脱穀作業姿勢から、上方に開動させたメンテナンス作業姿勢へと切り換え可能に支持している。
【００１３】
尚、上記両姿勢の切り換えは、説明を省略する開閉ロック操作機構を介して従来のものと同様に固定及び解除を行い、このとき扱室ケース７の終端部側に一体的に取付固定される排藁搬送部５も連携作動し、搬送姿勢とメンテナンス作業姿勢とに切り換えられる。
【００１４】
上記排藁搬送部５は、排稈チェーン１０を巻回した排藁搬送体１１とラグ付きのチェンを巻回した穂側搬送体１２とを複数の連結部材５ａによって一体的に連結し、後方穂側に向けて平面視で搬送間隔を有し平行状に斜設される。また排藁搬送体１１の下面に沿っては、下部ケース６の後部上面側に設けた排藁挟持レール１３を対設している。
【００１５】
この排藁搬送部５は、出口側板８ｂ側に図３で示す伝動ケース支持構造１４によって取付固定した伝動ケース部１５に始端部側を回動可能に取付支持し、また終端部側を後述する本発明の融通支持構造１６によって融通作動可能に取付支持している。
即ち、伝動ケース支持構造１４は、前記支点軸９に連結杆１９の基部側をブラケット１７を介し回動可能に枢支し、その先端部を伝動ケース部１５と連結固定し扱室ケース７側に補強支持する。
【００１６】
また連結杆１９の中途部は扱室ケース７側から後方に延設した支持杆２０の端部と連結し補強する。尚、上記のように補強支持される伝動ケース部１５には、後述する排藁部カバー５０をスライド可能に支持するカバー支持杆５１を後方に向けて延設している。
【００１７】
また伝動ケース部１５は公知の構成からなるベルト伝動構造２１によって入力プーリ２２が伝動され、伝動ケース部１５内のギヤ構造によって排藁搬送体１１を巻き掛けたスプロケット軸（駆動軸）２３を回転せしめ、該スプロケット軸２３に挿脱可能に嵌挿したスプロケット（駆動スプロケット）２３ａを介し、排藁搬送体１１の排稈チェーン１０を駆動する。他方、穂側搬送体１２は排藁搬送体１１の中途部に噛合伝動可能に設けた伝動取り出し軸２５によって駆動される。
【００１８】
次に、融通支持構造１６について図３，図５〜図７を参照し説明する。この融通支持構造１６は排藁搬送体１１に一体的に設けられる穂側搬送体１２の終端部側で搬送体フレーム１２ａの側面から穂先側に向けて突設した棒状のスライド支持杆３０と、支点軸９の終端部側と図示しないグレンタンクの穀粒排出オーガ３１側の固定フレーム３２とを連結する取付フレーム３３に取付固定された融通支持ガイド３５とからなり、該融通支持ガイド３５上にスライド支持杆３０をスライド移動可能に載置した構成となっている。
【００１９】
上記融通支持ガイド３５は丸棒の中途部を上方に向けて略逆ヘ字状に屈曲し、排藁搬送方向上手側において略水平面をなす水平支持部３６から屈曲部３７を介し、排藁搬送下手側に向けて徐々に上向きに傾斜する傾斜支持部３９を形成している。
そして、排藁搬送部５が搬送姿勢にあるとき、スライド支持杆３０を水平支持部３６又は屈曲部３７或いはその近傍に載置状態で支持せしめ、排藁搬送体１１を下方の排藁挟持レール１３に近接させ挟持搬送する高さ位置に保持することができる。
【００２０】
また扱室ケース７と一体的に設けられた伝動ケース部１５に回動可能に支持される排藁搬送部５の始端部側が、支点軸９を中心として上方回動されるとき、終端部側は排藁搬送体１１のスプロケット軸２３を上昇支持点として、スライド支持杆３０が傾斜支持部３９に沿ってスライド上昇し、下方の機体（下部ケース６の後部天板や排稈カッタ４の機枠等）から離間する。
【００２１】
これにより排藁搬送部５がメンテナンス作業姿勢に切り換えられたとき、排藁搬送部５の終端部側は扱室ケース７の支点軸９より搬送下手側（後方奥側）に長く形成されていても下降することなく上昇させることができるから、該終端部側と機体側との距離を大きくとり空間部を確保して、藁と藁屑の詰まり除去や清掃等のメンテナンス作業を容易に行うことができる。
【００２２】
また上記融通支持構造１６によれば、簡単なガイド支持部材によって支点軸９側で排藁搬送部５の中途部を支持することができるので、排藁搬送部５を安定よく支持すると共に、融通支持構造１６を支点軸９側に簡潔な構成によってコンパクトに纏めることができる等の利点がある。また図示例のように支点軸９と連結する取付フレーム３３に沿って設けた融通支持構造１６は搬送される排藁と接触を防止し排藁搬送を妨げない。
【００２３】
さらに融通支持構造１６は融通支持ガイド３５の上方に沿って丸棒状の補助ガイド４０を一体的に形成している。これにより融通支持ガイド３５と補助ガイド４０で形成されるガイド間隔内にスライド支持杆３０を挿入することができるので、該スライド支持杆３０は排藁挟持搬送に伴う上方への浮き上がり、及び機体振動に伴う排藁搬送部５の上方への揺動を防止することができる。
【００２４】
また水平支持部３６を設けた融通支持構造１６は、排藁搬送部５の組み付け及び取り外し等を、扱室ケース７の後方で伝動ケース部１５及び融通支持ガイド３５に対して簡単に行うことができる。即ち、排藁搬送体１１と穂側搬送体１２とが予め一体的に構成された排藁搬送部５は、先ずスライド支持杆３０の先端部を前記ガイド間隔内に挿入し、融通支持ガイド３５の水平支持部３６上で仮支持状態となし、次いでスプロケット２３ａをスプロケット軸２３に挿入固定することによって組み付けを完了することができる。
【００２５】
この際、長大で重量のある排藁搬送部５の終端部側はスライド支持杆３０を介して傾斜支持部３９に直接的に載置することなく、先ず水平支持部３６のガイド間隔内にスライド支持杆３０を挿入し仮支持することができる。
従って、傾斜支持部３９に載置した場合のように、斜面に沿って下方移動する重量に抗し排藁搬送部５を持ち上げ支持することなく、水平支持部３６を利用して終端部側を自由に支持した状態で、スプロケット軸２３にスプロケット２３ａを位置決めし簡単に嵌挿することができる。
【００２６】
また傾斜支持部３９の手前側に水平支持部３６を設けるので、融通支持構造１６の加工及び組立て等の誤差に対しても、融通支持ガイド３５に対しスライド支持杆３０の組み付けを容易にすることができる等の特徴がある。
【００２７】
次に、前記排藁部カバー５０の開閉構造について図４，図５，図８を参照し説明する。  この排藁部カバー５０は扱室ケース７の天板カバー７ａと排稈カッタ４のカッター部カバー４ａとの間で排藁搬送部５を覆い、排藁搬送部５の上方回動に連携し前記スライド支持杆５１を介し共に上方回動する。
【００２８】
即ち、排藁部カバー５０はその奥側端部を取付フレーム３３に設けた支軸５２に回動可能に取付支持すると共に、他側（手前側）を前記スライド支持杆５１と該スライド支持杆５１から分岐させたスライド支持杆５３のローラ５５，５６を介しスライド可能に取付支持している。
【００２９】
またスライド支持杆５１は前記伝動ケース部１５に取付固定された基部側から後方に至り高くなるように屈曲形成され、その終端部側にローラ５５を軸支している。そして、スライド支持杆５３はスライド支持杆５１の傾斜杆部に前側に向けて突設され、その前端部側にローラ５６を軸支している。
上記ローラ５５，５６はそれぞれ排藁部カバー５０の裏側に突設したガイドレール５７によって形成されるガイド溝５９内にスライド可能に係合している。
【００３０】
この構成により、扱室ケース７の上方回動に伴い伝動ケース部１５を介しスライド支持杆５１，５３が一体的に上昇されると、ローラ５５，５６が各ガイドレール５７のガイド溝５９内をスライド移動しながら、排藁搬送部５の上方回動と連携し排藁部カバー５０を支軸５２を中心に上方回動させることができる。
【００３１】
以上のように構成された排藁搬送装置を備えた脱穀機１は、刈取部で刈り取った穀稈をフィードチェンで挟持搬送し扱室２内に供給し、脱穀作業が行われた脱穀済の排藁を排藁搬送体１１及び穂側搬送体１２からなる排藁搬送部５で排藁搬送し、排稈カッタ４に供給し切断された切藁を機体の既刈り地側に放出する。
【００３２】
このような脱穀作業において、扱室２内の穀稈詰まりや排藁搬送部５に排藁詰まりを生じたり、清掃或いは点検修理等のメンテナンス作業を行うときは、先ず扱室ケース７及び排藁搬送部５の固定を解除し図５で示すように上方回動させると、扱室ケース７は支点軸９を支点とし、排藁搬送部５は融通支持ガイド３５を介しスライド支持杆３０を支点に、また排藁部カバー５０は支軸５２を支点とし、共に上方回動し扱室ケース７と排藁搬送部５の下方を広く開放しメンテナンス作業を行うことができる。
【００３３】
このとき、排藁搬送部５から穂側に向けて突設したスライド支持杆３０と、該スライド支持杆３０を下部ケース６側から融通移動可能に支持し、排藁搬送部５の上方回動に伴い上昇移動させる傾斜支持部３９を有した融通支持ガイド３５とで構成した融通支持構造１６は、排藁搬送部５が融通支持構造１６を支点に上方回動するとき、スライド支持杆３０が融通支持ガイド３５の傾斜支持部３９に沿って、回動等の変位を許容しながら後方移動するとき排藁搬送部５の終端部側を上昇させるので、排藁搬送部５の搬送上手側にスライド支持杆３０を設けても、終端部側を下降させることなく、その下方を広く開放することができ、この部の点検や清掃等のメンテナンス作業性が向上する。
【産業上の利用可能性】
【００３４】
この発明の排藁搬送装置は、コンバイン及びハーベス等に搭載可能な脱穀機に好適に使用することができる。また穂側搬送体が短い場合或いは穂側搬送体を備えない排藁搬送部では、支持杆は排藁搬送体側に取付固定される。
【図面の簡単な説明】
【００３５】
【図１】本発明に係わる排藁搬送装置を備えた脱穀機の斜視図である。
【図２】図１の天板カバー及び排藁部カバーを外した状態を示す斜視図である。
【図３】伝動ケース支持構造及び排藁搬送部の構成を示す平面図である。
【図４】図３の側面図である。
【図５】図３の背面図である。
【図６】排藁搬送体を一部破断し融通支持構造の構成を示す背面図である。
【図７】図６の融通支持構造の構成を示す正面図である。
【図８】排藁部カバーの開閉構造を示す背面図である。
【符号の説明】
【００３６】
１    脱穀機
２    扱室
５    排藁搬送部
６    下部ケース
７    扱室ケース
９    支点軸
１０  排稈チェーン
１１  排藁搬送体
１２  穂側搬送体
１６  融通支持構造
３０  支持杆
３５  融通支持ガイド
３６  水平支持部
３７  屈曲部
３９  傾斜支持部
４０  補助ガイド
【図１】
2005130797.tif 000003
【図２】
2005130797.tif 000004
【図３】
2005130797.tif 000005
【図４】
2005130797.tif 000006
【図５】
2005130797.tif 000007
【図６】
2005130797.tif 000008
【図７】
2005130797.tif 000009
【図８】
2005130797.tif 000010